(57)【要約】【課題】地震によりドア枠が変形した場合においても扉（ドア本体）の開閉を可能とする新規なドアを提案するものである。【解決手段】ドア本体１０の戸先側に設けられる戸先追加枠５１と、戸先追加枠５１とドア本体１０とを連結する枠連結具５３とを有し、戸先追加枠５１又はドア本体１０に外力を受けた際に、戸先追加枠５１とドア本体１０とが面内方向（ドア幅方向Ｍ（見付方向）、及び／又は、上下方向）で相対移動するように構成される、ドア１とする。これにより、ドア枠２が変形した際に、戸先追加枠５１とドア本体１０とが面内方向で相対移動することで、ドア本体１０がドア枠２に押し付けられて開け難くなることを防ぐことができる。【選択図】図３
2015183448.tif 000002
【特許請求の範囲】
【請求項１】
ドア本体の戸先側に設けられる戸先追加枠と、
前記戸先追加枠と前記ドア本体とを連結する枠連結具とを有し、
前記戸先追加枠又は前記ドア本体に外力を受けた際に、前記戸先追加枠と前記ドア本体とが面内方向で相対移動するように構成される、ドア。
【請求項２】
前記枠連結具は、当該枠連結部に上下方向に形成される長孔に固定具を介して前記ドア本体に固定されるものである、ことを特徴とする請求項１に記載のドア。
【請求項３】
前記枠連結具は、前記ドア本体と前記戸先追加枠との間隔を変更可能に構成される、ことを特徴とする請求項１又は請求項２に記載のドア。
【請求項４】
前記戸先追加枠には錠前が固定され、
前記錠前は前記ドア本体に設けた錠前収容部に配置され、
前記錠前と前記錠前収容部の間には、前記戸先追加枠の移動に伴って前記錠前の錠前収容部での移動を許容するための隙間が確保される、
ことを特徴とする請求項１乃至請求項３のいずれか１項に記載のドア。
【発明の詳細な説明】
【技術分野】
【０００１】
本発明は、地震によりドア枠が変形しても扉（ドア本体）を開閉できるようにしたドアに関するものである。
【背景技術】
【０００２】
地震によりドア枠が変形すると、ドア枠が面内方向に変形し、扉に接触して扉が開閉できなくなる情況が生じ得る。
【０００３】
特許文献１では、ドア枠側にバネ材、及び、係脱自在な可動部材を設ける構成とし、地震の揺れによる水平方向の変位でドアの戸先が可動部材に突き当たった場合には、可動部材が外れてドアの開閉を可能にする構造について開示している。
【先行技術文献】
【特許文献】
【０００４】
【特許文献１】実開平４−１１４９８６号公報
【発明の概要】
【発明が解決しようとする課題】
【０００５】
特許文献１に開示される技術では、ドア枠側に耐震性能を確保するための構造が設けられる。このため改修による後付の設置も可能では有るが、改修費用が嵩んでしまうことを考慮すると、建物施工時に設置することが求められる。つまり、実際には後付での設置が難しいものとなる。
【０００６】
さらに、図９（Ａ）に示すような荷重Ｆ１の作用に伴う錠前側から丁番側への変形（プラスの変形）や、図９（Ｂ）に示すような荷重Ｆ２の作用に伴う丁番側から錠前側の変形（マイナスの変形）が生じた場合には、ドア枠９２がドア９０の戸先側の上端部９０ａや下端部９０ｂを押え付ける情況が生じ、ドアを開けるために大きな力が必要となり、場合によっては人の力では開けられなくなってしまう。
【０００７】
そして、ドア９０の戸先側の上下端部９０ａ，９０ｂには、ドア枠９２の上枠９２ａや下枠９２ｂから上下方向の荷重Ｆ３，Ｆ４がそれぞれ作用することが考えられ、この場合、特許文献１のようにドア枠の縦枠に耐震性能を持たせる構成では、ドア９０を開くことが困難となることが想定される。
【０００８】
さらに、図９（Ｃ）に示すように、ドア枠９２の戸先側の縦枠９２ｃに変形が生じて荷重Ｆ５がドア９０に作用する場合において、この変形と図９（Ａ）（Ｂ）の変形が複合的に発生する場合があり、このようなドア枠の複合的な変形が生じた場合にも対応できるドアが求められていた。
【０００９】
そこで、本発明は、地震によりドア枠が変形した場合においても扉（ドア本体）の開閉を可能とする新規なドアを提案するものである。
【課題を解決するための手段】
【００１０】
本発明の解決しようとする課題は以上のごとくであり、次にこの課題を解決するための手段を説明する。
【００１１】
即ち、請求項１に記載のごとく、ドア本体の戸先側に設けられる戸先追加枠と、前記戸先追加枠と前記ドア本体とを連結する枠連結具とを有し、前記戸先追加枠又は前記ドア本体に外力を受けた際に、前記戸先追加枠と前記ドア本体とが面内方向で相対移動するように構成される、ドアとする。
【００１２】
また、請求項２に記載のごとく、前記枠連結具は、当該枠連結部に上下方向に形成される長孔に固定具を介して前記ドア本体に固定される。
【００１３】
また、請求項３に記載のごとく、前記枠連結具は、前記ドア本体と前記戸先追加枠との間隔を変更可能に構成される。
【００１４】
また、請求項４に記載のごとく、前記戸先追加枠には錠前が固定され、前記錠前は前記ドア本体に設けた錠前収容部に配置され、前記錠前と前記錠前収容部の間には、前記戸先追加枠の移動に伴って前記錠前の錠前収容部での移動を許容するための隙間が確保される。
【発明の効果】
【００１５】
本発明の効果として、以下に示すような効果を奏する。
【００１６】
即ち、請求項１に記載の発明においては、ドア枠が変形した際に、戸先追加枠とドア本体とが面内方向で相対移動することで、ドア本体がドア枠に押し付けられて開け難くなることを防ぐことができる。
【００１７】
また、請求項２に記載の発明においては、ドア枠がプラス変形した場合には、ドア本体の上端部が上枠に押し付けられて開け難くなることを防ぐことができる。同様に、ドア枠がマイナス変形した場合には、ドア本体の下端部が下枠に押し付けられて開け難くなることを防ぐことができる。
【００１８】
また、請求項３に記載の発明においては、例えば、縦枠が変形しドア本体の上下中途部が縦枠に突き当てられるような場合でも、ドア本体が開け難くなることを防ぐことができる。
【００１９】
また、請求項４に記載の発明においては、戸先追加枠と錠前を一体化した構成において、対震性を備えたドアを構成することができる。
【図面の簡単な説明】
【００２０】
【図１】ドア用対震装置を備えるドアについて示す正面図。
【図２】（Ａ）はドア枠にプラス変形が生じた場合の例について示す図。（Ｂ）はドア枠にマイナス変形が生じた場合の例について示す図。（Ｃ）は縦枠に変形が生じた場合の例について示す図。
【図３】（Ａ）は縦枠と戸先追加枠について示す斜視図。（Ｂ）は戸先追加枠と枠連結具について示す斜視図。
【図４】戸先追加枠と枠連結具の詳細について示す斜視図。
【図５】戸先追加枠に荷重が作用した際の挙動について示す図。
【図６】（Ａ）は錠前とドア本体に形成される貫通孔の配置について示す正面一部断面図。（Ｂ）は錠前の構成について示す正面図。
【図７】（Ａ）はデッドボルトがストライク板にせり合う情況について示す正面一部断面図。（Ｂ）はデッドボルトとストライク板にクリアランスが確保される状態について示す正面一部断面図。
【図８】（Ａ）は鍵箱が規定の位置にある情況について示す図。（Ｂ）は鍵箱が移動した情況について示す図。
【図９】（Ａ）は従来構成においてドア枠にプラス変形が生じた場合の例について示す図。（Ｂ）は従来構成においてドア枠にマイナス変形が生じた場合の例について示す図。（Ｃ）は従来構成においてドアの縦枠に変形が生じた場合の例について示す図。
【発明を実施するための形態】
【００２１】
以下、本発明の実施形態を図面に基づいて説明する。
図１は、本発明のドア用対震装置を備えるドア１について示す正面図である。ドア１は、四方枠状に組まれたドア枠２に納められ、戸先側にハンドル３が設けられ、戸尻側に丁番４，４が設けられ、ハンドル３を操作してドア１が開閉できるようになっている。なお、本明細書において、「耐震」の用語は、「地震に耐えうる強度、構造を有する」といった意味を表すために用いられ、「対震」の用語は、「地震が起こった際に（避難経路確保に）対応する・対策がとれる機能を有する」といった意味を表すために用いられるものとする。
【００２２】
ドア枠２は、戸先側の縦枠２１と、戸尻側の縦枠２２と、上枠２３と、下枠２４を枠組みして構成される。このような構成のドア枠２について、地震が生じた際には、図２（Ａ）に示すごとく、図において右方向に外力Ｆ１が加わることでプラスの変形が生じ、ドア１の戸先の上角部１２ａが上枠２３に突き当てられる。
【００２３】
或いは、図２（Ｂ）に示すごとく、図において左方向に外力Ｆ２が加わることでマイナスの変形が生じ、ドア１の戸先の下角部１２ｂが下枠２４に突き当てられる。
【００２４】
さらに、図２（Ｃ）に示すごとく、縦枠２１が変形した場合には、ドア１の戸先の上下中途部１２ｃが縦枠２１に突き当てられる（ドア枠２の一部変形）。
【００２５】
そして、このような図２（Ａ）〜（Ｃ）の場合に、ドア１の開閉を可能にするためのドア用対震装置５が設けられている。このドア用対震装置５は、図３乃至図５に示すごとく、戸先追加枠５１と枠連結具５３を有して構成される。
【００２６】
戸先追加枠５１は、ドア本体１０の戸先側の見込部１１ｃに付設されるものであり、通常時には、縦枠２１とドア本体１０の間の縦方向の隙間を埋めるように配置される。
【００２７】
図４に示すごとく、戸先追加枠５１は、互いに対向する見付部５１ａ，５１ｂと、見付部５１ａ，５１ｂの一端を結ぶ見込部５１ｃを有し、断面視略コ字状の長尺部材にて構成され、見付部５１ａ，５１ｂと見込部５１ｃで囲まれる空間に縦溝部５１ｄが形成される。
【００２８】
ドア本体１０の戸先部には、見込部１１ｃからドア幅方向Ｍ（見付方向）に突出する縦辺部１１ａ，１１ｂが形成されており、見込部１１ｃと縦辺部１１ａ，１１ｂで囲まれる空間に縦溝部１１ｄが形成される。なお、この戸先部の構成は、例えば、面材の両面に二枚のパネルを付設したドア本体の構成において、面材の端面に見込部１１ｃを形成し、パネルの端部を見込部１１ｃから突設させて縦辺部１１ａ，１１ｂを形成することによって実現できる。
【００２９】
そして、このドア本体１０の縦溝部１１ｄに戸先追加枠５１が差し込まれ、縦辺部１１ａ，１１ｂの裏側に見付部５１ａ，５１ｂが配置される。なお、ドア本体１０に縦溝部１１ｄを形成せずに、ドア本体１０の戸先側の端部が戸先追加枠５１の縦溝部５１ｄに差し込まれる構成としてもよい。
【００３０】
戸先追加枠５１は、枠連結具５３を介してドア本体１０に固定される。枠連結具５３は、縦溝部５１ｄ及び縦溝部１１ｄ内に納められており、戸先追加枠５１の見込部１１ｃに固定される枠側固定部５３ａと、ドア本体１０の見込部１１ｃに固定されるドア側固定部５３ｂとを有する。
【００３１】
枠連結具５３は、縦方向の複数箇所に配置され、図１に示す例では、例えば、合計４箇所に配置され、戸先追加枠５１が各枠連結具５３を介してドア本体１０に対して取付けられている。
【００３２】
図４に示すごとく、枠連結具５３の枠側固定部５３ａは、戸先追加枠５１の見込部１１ｃに当接する縦面部を構成し、ドア側固定部５３ｂは、ドア本体１０の見込部１１ｃに当接する縦面部を構成する。
【００３３】
ドア側固定部５３ｂは、枠側固定部５３ａを挟んで上下の二箇所に配置され、枠側固定部５３ａと各ドア側固定部５３ｂがそれぞれ上下の接続部５３ｃで接続される。上側の接続部５３ｃは、枠側固定部５３ａ側が低い位置となる傾斜面を構成し、下側の接続部５３ｃは、枠側固定部５３ａ側が高い位置となる傾斜面を構成する。枠連結具５３は、面内方向の荷重が加わっても復元力に富む弾性体であることが好ましいが、ステンレス等の金属板材を折り曲げ加工して構成し、面内方向の荷重が加わった場合に変形して復元しないようにしてもよい。
【００３４】
枠連結具５３は、ステンレスなどの金属板材を折り曲げ加工して構成することができる。この折り曲げ加工による構成においては、枠側固定部５３ａと接続部５３ｃの間に屈曲部５３ｄが、接続部５３ｃとドア側固定部５３ｂの間に屈曲部５３ｅがそれぞれ形成される。屈曲部５３ｄ，５３ｅが形成されることで、枠連結具５３に荷重が加わった際には、５３ｄ，５３ｅにおいて変形が生じ、枠連結具５３が全体として弾性体として機能することになる。
【００３５】
枠側固定部５３ａには、固定孔５３ｆが形成されており、戸先追加枠５１の見込部５１ｃの貫通孔５１ｋを通じて固定具５３ｋを固定孔５３ｆに挿入することで、枠側固定部５３ａが枠連結具５３の見込部１１ｃに対して固定される。なお、図示はしていないが、固定具５３ｋ等、固定具が露出しないように化粧枠により隠されていることが好ましい。
【００３６】
ドア側固定部５３ｂには、縦方向の長孔で構成される固定孔５３ｇが形成されており、固定孔５３ｇに固定具５３ｈを挿入することで、ドア側固定部５３ｂがドア本体１０の見込部１１ｃに固定される。
【００３７】
以上の構成により、戸先追加枠５１の位置が、図５に示される各状態となるように変更可能となっている。
図５（Ａ）は、通常時の状態を示すものである。この場合、ドア側固定部５３ｂにおいて、固定具５３ｈは、固定孔５３ｇの上下方向の中央部に位置する。
【００３８】
図５（Ｂ）は、図２（Ａ）に示すように、ドア枠２にプラスの変形が生じ、ドア１の戸先の上角部１２ａ、つまりは、戸先追加枠５１の上端部が上枠２３に突き当てられて下方向の荷重Ｆ３が生じたときの状態を示すものである。
【００３９】
戸先追加枠５１が荷重Ｆ３を受けると、この荷重Ｆ３が枠連結具５３に伝達される。ここで、枠連結具５３のドア側固定部５３ｂの固定孔５３ｇは長孔で構成されるため、固定孔５３ｇが固定具５３ｈに対して下方に移動し、枠連結具５３が全体として下方に移動量Ｈ１だけずれる。
【００４０】
以上のように、図２（Ａ）に示されるようなプラスの変形が生じた場合には、適宜、戸先追加枠５１が下方にずれることにより、戸先追加枠５１の上端部と上枠２３との間に生じる荷重Ｆ３を逃がすことができ、ドア１が上枠２３に押し付けられて開け難くなることを防ぐことができる。
【００４１】
なお、図２（Ｂ）に示されるようなマイナスの変形が生じた場合についても同様に、適宜、戸先追加枠５１が上方にずれることにより、戸先追加枠５１の上端部と上枠２３との間に生じる上方向の荷重Ｆ４を逃がすことができ、ドア１が下枠２４に押し付けられて開け難くなることを防ぐことができる。
【００４２】
図５（Ｃ）は、図２（Ｃ）に示すように、ドア１の戸先の上下中途部１２ｃなどが縦枠２１に突き当てられてドア幅方向Ｍの荷重Ｆ５が生じたときの状態を示すものである。
【００４３】
戸先追加枠５１が荷重Ｆ５を受けると、この荷重Ｆ５が枠連結具５３に伝達される。ここで、枠連結具５３は、屈曲点５３ｄ，５３ｅにおいて角度変形しつつ、上側のドア側固定部５３ｂが上方にずれ、下側のドア側固定部５３ｂが下方にずれるように変形し、これにより、戸先追加枠５１がドア本体１０の見込部１１ｃに近づく方向に移動量Ｗ１だけずれる。
【００４４】
以上のように、図２（Ｃ）に示されるような縦枠２１の変形が生じた場合には、適宜、戸先追加枠５１がドア幅方向Ｍ（見付方向）にずれることにより、戸先追加枠５１と縦枠２１との間に生じる荷重Ｆ５を逃がすことができ、ドア１が縦枠２１に押し付けられて開け難くなることを防ぐことができる。
【００４５】
図５（Ｄ）は、下方向の荷重Ｆ３とドア幅方向Ｍの荷重Ｆ５が複合的に生じた場合について示すものであり、図２（Ａ）に示されるプラスの変形と、図２（Ｃ）に示される縦枠２１の変形が同時に生じる情況を想定したものである。
【００４６】
このような場合では、枠連結具５３が適宜移動、変形することで、戸先追加枠５１が下方、及び、ドア幅方向Ｍにずれることにより、複合的に作用する荷重Ｆ３と荷重Ｆ５を逃がすことができ、ドア１が上枠２３や縦枠２１に押し付けられて開け難くなることを防ぐことができる。
【００４７】
同様に、図５（Ｅ）は、上方向の荷重Ｆ４とドア幅方向Ｍの荷重Ｆ５が複合的に生じた場合について示すものであり、図２（Ｂ）に示されるプラスの変形と、図２（Ｃ）に示される縦枠２１の変形が同時に生じる情況を想定したものである。
【００４８】
このような場合では、枠連結具５３が適宜移動、変形することで、戸先追加枠５１が上方、及び、ドア幅方向Ｍにずれることにより、複合的に作用する荷重Ｆ４と荷重Ｆ５を逃がすことができ、ドア１が下枠２４や縦枠２１に押し付けられて開け難くなることを防ぐことができる。
【００４９】
なお、以上の実施例では、枠連結具５３においてドア側固定部５３ｂの固定孔５３ｇを長孔で構成したが、枠側固定部５３ａの固定孔５３ｆを長孔で構成してもよく、この長孔によって戸先追加枠５１が荷重を受けた際に、戸先追加枠５１が上下に移動する構成としてもよい。或いは、固定孔５３ｇ，５３ｆの両方を長孔としてもよい。
【００５０】
次に、図６乃至図８に示される錠前６０が設置される部位の構成について説明する。
戸先追加枠５１の上下方向の中途部となる位置には、錠前６０が固定されている。錠前６０は、鍵箱６１、シリンダー部６２、レバーハンドル６３、フロントプレート６４などを有して構成される。
【００５１】
フロントプレート６４は戸先追加枠５１の見込部５１ｃに固定されており、戸先追加枠５１と鍵箱６１が一体化される。
【００５２】
フロントプレート６４からは、デッドボルト６５、ラッチボルト６６が突出され、それぞれ、縦枠２１に設けた受け具であるトロヨケ２６とストライク板２７に対して差し込まれるようになっている。
【００５３】
ドア本体１０には、見込部１１ｃ側に開口し、鍵箱６１が納められる錠前収容部１４が形成されており、錠前収容部１４が形成される部位において、ドア本体１０の厚み方向に貫通する貫通孔１５，１６が上下の２箇所に設けられる。
【００５４】
ドア本体１０に形成される上側の貫通孔１５には、シリンダー部６２の貫通軸部材６２ａが挿通され、貫通孔１５と貫通軸部材６２ａの間には、クリアランスＫ１の環状の隙間Ｓ１が形成される。この隙間Ｓ１は、シリンダー部６２の外部カバー６２ｂによって外部から隠される。
【００５５】
ドア本体１０に形成される下側の貫通孔１６には、レバーハンドル６３と連動する貫通軸部材６３ａが挿通され、貫通孔１６と貫通軸部材６３ａの間には、クリアランスＫ２の環状の隙間Ｓ２が形成される。この隙間Ｓ２は、レバーハンドル６３の外部カバー６３ｂによって外部から隠される。
【００５６】
なお、図６は、ドア本体１０の一方の面の構成について示すものであるが、他方の面においても、隙間Ｓ１，Ｓ２や外部カバー６２ｂ，６３ｂについて同様の構成とされている。
【００５７】
鍵箱６１は、直方体形状を有しており、図６に示す正面視において、上部に上縁部６１ａ、下部に下縁部６１ｂが現れる。また、フロントプレート６４と反対側の端部に側縁部６１ｃが現れる。
【００５８】
鍵箱６１を納めるための錠前収容部１４は、ドア本体１０の見込部１１ｃに開口されており、鍵箱６１の上縁部６１ａ、下縁部６１ｂ、側縁部６１ｃに対してそれぞれ対向する上縁部１４ａ、下縁部１４ｂ、側縁部１４ｃがドア本体１０の内部に形成さている。
【００５９】
また、図６（Ａ）に示されるように、鍵箱６１の上縁部６１ａと錠前収容部１４の上縁部１４ａの間には、クリアランスＫ３の隙間Ｓ３が形成される。鍵箱６１の下縁部１４ｂと錠前収容部１４の下縁部６１ｂの間には、クリアランスＫ４の隙間Ｓ４が形成される。鍵箱６１の側縁部１４ｃと錠前収容部１４の側縁部６１ｃの間には、クリアランスＫ５の隙間Ｓ５が形成される。
【００６０】
以上の構成により、例えば、図２（Ａ）に示すようなプラスの変形が生じた場合には、荷重Ｆ３によって戸先追加枠５１が押し下げられて下方へ移動するが、この際、戸先追加枠５１とともに錠前６０も下方へ移動する。この錠前６０の移動は、図６（Ａ）に示されるように、隙間Ｓ１〜Ｓ４が確保されていることによって実現される。
【００６１】
そして、このように戸先追加枠５１、及び、錠前６０が下方へと移動することで、図７（Ａ）の状態とはならずに、図７（Ｂ）の状態となることができ、デッドボルト６５とストライク板２７との摩擦を低減し、サムターンや鍵の回転力を低減して開錠可能が可能となる。図７（Ｂ）の例では、クリアランスＫ６の隙間Ｓ６が形成され開錠可能となる様子を示している。
【００６２】
この隙間Ｓ６によりデッドボルト６５がストライク板２７に対してせり合うことがなく、デッドボルト６５をトロヨケ２６から抜き出すことが可能となり、ドアが開け難くなることを防ぐことができる。
【００６３】
また、例えば、図２（Ｃ）に示すような変形が同時に生じた場合には、荷重Ｆ５によって戸先追加枠５１がドア幅方向Ｍ（見付方向）に移動するが、この戸先追加枠５１の移動とともに、図８（Ａ）の状態から図８（Ｂ）の状態となるように、鍵箱６１（錠前６０）もドア幅方向Ｍ（見付方向）に移動する。この鍵箱６１（錠前６０）の移動は、隙間Ｓ１，Ｓ２，Ｓ５が確保されていることによって実現される。
【００６４】
このように戸先追加枠５１、及び、錠前６０がドア幅方向Ｍ（見付方向）へと移動することで、図８（Ａ）の状態から図８（Ｂ）の状態となり、戸先追加枠５１と縦枠２１との間に生じる荷重Ｆ５を逃がすことができ、ドア１が縦枠２１に押し付けられて開け難くなることを防ぐことができる。
【００６５】
さらに、図６（Ａ）に示すように、隙間Ｓ１，Ｓ２を環状とし、また、鍵箱６１の周囲に三辺の隙間Ｓ３〜Ｓ５が形成されているため、鍵箱６１が上下方向、及び、ドア幅方向Ｍ（見付方向）に移動することが可能となり、図２（Ａ）と図２（Ｃ）の変形、或いは、図２（Ｂ）と図２（Ｃ）の変形が同時に複合的に発生する場合においても、ドア１が縦枠２１、上枠２３、下枠２４に押し付けられて開け難くなることを防ぐことができる。
【００６６】
また、以上の実施例で説明した戸先追加枠５１や、錠前６０の納まりの構造については、既存のドア１についてもドア１に必要な加工を施すことで適宜実施することが可能である。
【００６７】
以上に説明した実施形態から明らかなように、本発明では以下の構成にて実施することができる。
即ち、図４及び図５に示すごとく、ドア本体１０の戸先側に設けられる戸先追加枠５１と、戸先追加枠５１とドア本体１０とを連結する枠連結具５３とを有し、戸先追加枠５１又はドア本体１０に外力を受けた際に、戸先追加枠５１とドア本体１０とが面内方向（ドア幅方向Ｍ（見付方向）、及び／又は、上下方向）で相対移動するように構成される、ドア１とする。
【００６８】
これにより、図２に示すごとく、ドア枠２が変形した際に、戸先追加枠５１とドア本体１０とが面内方向で相対移動することで、ドア本体１０がドア枠２に押し付けられて開け難くなることを防ぐことができる。
【００６９】
また、図５に示すごとく、枠連結具５３は、当該枠連結部５３に上下方向に形成される長孔（固定孔５３ｇ）に固定具５３ｈを介してドア本体１０に固定されることとしている。
【００７０】
これにより、図２（Ａ）に示すごとく、ドア枠２がプラス変形した場合には、ドア本体１０の上端部が上枠２３に押し付けられて開け難くなることを防ぐことができる。同様に、ドア枠２がマイナス変形した場合には、ドア本体１０の下端部が下枠２４に押し付けられて開け難くなることを防ぐことができる。
【００７１】
また、図５（Ｃ）に示すごとく、枠連結具５３は、ドア本体１０と戸先追加枠５１との間隔、つまりは、ドア幅方向Ｍ（見付方向）の距離を変更可能に構成される。
【００７２】
これにより、図２（Ｃ）に示すごとく、例えば、縦枠２１が変形しドア本体１０の上下中途部１２ｃが縦枠２１に突き当てられるような場合でも、ドア本体１０が開け難くなることを防ぐことができる。
【００７３】
また、図６（Ａ）（Ｂ）に示すごとく、戸先追加枠５１には錠前６０が固定され、錠前６０はドア本体１０に設けた錠前収容部１４に配置され、錠前６０と錠前収容部１４の間には、戸先追加枠５１の移動に伴って錠前６０の錠前収容部１４での移動を許容するための隙間が確保される。
【００７４】
これにより、図７及び図８に示すごとく、戸先追加枠５１と錠前６０を一体化した構成において、対震性を備えたドアを構成することができる。
【産業上の利用可能性】
【００７５】
本発明は、地震により枠が変形した場合に開閉できる扉を実現する構造として、幅広く適用することができる。
【符号の説明】
【００７６】
１    ドア
２    ドア枠
３    ハンドル
４    丁番
５    ドア用対震装置
１０    ドア本体
１４    錠前収容部
２１    縦枠
２２    縦枠
２３    上枠
２４    下枠
２６    トロヨケ
２７    ストライク板
５１    戸先追加枠
５３    枠連結具
５３ａ    枠側固定部
５３ｂ    ドア側固定部
５３ｃ    接続部
５３ｄ    屈曲部
５３ｅ    屈曲部
６０    錠前
６１    鍵箱
６２    シリンダー部
６３    レバーハンドル
６４    フロントプレート
６５    デッドボルト
６６    ラッチボルト
【図１】
2015183448.tif 000003
【図２】
2015183448.tif 000004
【図３】
2015183448.tif 000005
【図４】
2015183448.tif 000006
【図５】
2015183448.tif 000007
【図６】
2015183448.tif 000008
【図７】
2015183448.tif 000009
【図８】
2015183448.tif 000010
【図９】
2015183448.tif 000011